(57)【要約】【課題】携帯性や収納性に優れ、且つウェットシートの取り出し易さや品質を確保することが可能なウェットシート加温容器を提供する。【解決手段】容器本体１０は、容器本体１０に軸支され、ウェットシートの収納時にその芯部よりも内側に位置する支柱３２と、支柱３２の第１方向への回転に応じて支柱３２周りにロール状に巻き取り可能な熱源フィルム３３と、熱源フィルム３３を直接又は間接的に加温する加温部（ヒータ３１）と、を備える。【選択図】図１
2018015352.tif 000002
【特許請求の範囲】
【請求項１】
開口部を有し、ロール状に巻回された状態のウェットシートを前記開口部から収納するボトル状の容器本体と、前記開口部を開閉するように前記容器本体に取り付けられ、上面に前記ウェットシートを外側に取り出すための取出部を有する蓋体と、を備えるウェットシート加温容器であって、
前記容器本体は、
前記容器本体に軸支され、前記ウェットシートの収納時にその芯部よりも内側に位置する支柱と、
前記支柱の第１方向への回転に応じて前記支柱周りにロール状に巻き取り可能な熱源フィルムと、
前記熱源フィルムを直接又は間接的に加温する加温部と、
を備えることを特徴とするウェットシート加温容器。
【請求項２】
前記熱源フィルムは、前記支柱周りにロール状に巻き取られた状態において、前記ウェットシートと対向する面が放熱性素材により形成されることを特徴とする請求項１に記載のウェットシート加温容器。
【請求項３】
前記支柱の上部に取り付け可能な補助治具を備え、
前記補助治具は、前記支柱周りにロール状に巻き取られた熱源フィルムを付勢して前記熱源フィルムの形状を保持する閉状態と、前記熱源フィルムに対する付勢を開放する開状態と、を切り替え可能な開閉部を備え、
前記開閉部には、前記ウェットシートを挟持可能な複数のスリットが形成され、
前記補助治具は、前記スリットに前記ウェットシートが挟持された状態で前記ウェットシートが引き出された際、前記第１方向と反対方向である第２方向に回転することを特徴とする請求項１又は２に記載のウェットシート加温容器。
【請求項４】
前記支柱は、更に、前記加温部として機能することを特徴とする請求項１〜３のいずれか一項に記載のウェットシート加温容器。
【請求項５】
前記熱源フィルムは、前記ウェットシートの高さと同等の高さに形成されることを特徴とする請求項１〜４のいずれか一項に記載のウェットシート加温容器。
【発明の詳細な説明】
【技術分野】
【０００１】
本発明は、ウェットシート加温容器に関する。
【背景技術】
【０００２】
従来、ベビー向けや介護向けのおしりふき（ウェットシート）を温めるホットウォーマー（ウェットシート加温装置）が市場に存在する。
例えば、ヒータ部が常にシートに接触した状態でシートを取り出し可能に構成し、取り出し直後にシートが冷めないようにした加温装置が開示されている（例えば、特許文献１参照）。
また、ボトル状の容器中央に設けた噴出管の噴出口から蒸気を噴出させることで、容器内部に収納されたウェットシートを加温する加温装置が開示されている（例えば、特許文献２参照）。
【先行技術文献】
【特許文献】
【０００３】
【特許文献１】特許第４０３１３３２号公報
【特許文献２】特開平８−２４１５７号公報
【発明の概要】
【発明が解決しようとする課題】
【０００４】
しかしながら、上記特許文献１記載の加温装置は、ヒータ部を次のシートの上部に載置する構成であるため、次のシートを取り出す際にヒータ部の重みでシートが取り出しにくいという課題がある。また、上記特許文献１記載の加温装置は、据え置きタイプの容器であるため、外部に携帯して利用することが困難であった。
また、上記特許文献２記載の加温装置は、蒸気を使用する構成であるため、ウェットシートの成分が薄まってしまい、薬液の効果が下がるという課題がある。加えて、上記特許文献２記載の加温装置は、蒸気の発生に必要となる水を貯蔵するためのタンクを備える必要があるため、容器が嵩張ってしまい、外部への携帯や部屋での収納に不便であった。
【０００５】
本発明は、携帯性や収納性に優れ、且つウェットシートの取り出し易さや品質を確保することが可能なウェットシート加温容器を提供することを目的とする。
【課題を解決するための手段】
【０００６】
請求項１に記載の発明は、上記目的を達成するためになされたものであり、
開口部を有し、ロール状に巻回された状態のウェットシートを前記開口部から収納するボトル状の容器本体と、前記開口部を開閉するように前記容器本体に取り付けられ、上面に前記ウェットシートを外側に取り出すための取出部を有する蓋体と、を備えるウェットシート加温容器であって、
前記容器本体は、
前記容器本体に軸支され、前記ウェットシートの収納時にその芯部よりも内側に位置する支柱と、
前記支柱の第１方向への回転に応じて前記支柱周りにロール状に巻き取り可能な熱源フィルムと、
前記熱源フィルムを直接又は間接的に加温する加温部と、
を備えることを特徴とする。
【０００７】
請求項２に記載の発明は、請求項１に記載のウェットシート加温容器において、
前記熱源フィルムは、前記支柱周りにロール状に巻き取られた状態において、前記ウェットシートと対向する面が放熱性素材により形成されることを特徴とする。
【０００８】
請求項３に記載の発明は、請求項１又は２に記載のウェットシート加温容器において、
前記支柱の上部に取り付け可能な補助治具を備え、
前記補助治具は、前記支柱周りにロール状に巻き取られた熱源フィルムを付勢して前記熱源フィルムの形状を保持する閉状態と、前記熱源フィルムに対する付勢を開放する開状態と、を切り替え可能な開閉部を備え、
前記開閉部には、前記ウェットシートを挟持可能な複数のスリットが形成され、
前記補助治具は、前記スリットに前記ウェットシートが挟持された状態で前記ウェットシートが引き出された際、前記第１方向と反対方向である第２方向に回転することを特徴とする。
【０００９】
請求項４に記載の発明は、請求項１〜３のいずれか一項に記載のウェットシート加温容器において、
前記支柱は、更に、前記加温部として機能することを特徴とする。
【００１０】
請求項５に記載の発明は、請求項１〜４のいずれか一項に記載のウェットシート加温容器において、
前記熱源フィルムは、前記ウェットシートの高さと同等の高さに形成されることを特徴とする。
【発明の効果】
【００１１】
本発明によれば、携帯性や収納性を確保しつつ、ウェットシートの取り出し易さや品質を確保することができる。
【図面の簡単な説明】
【００１２】
【図１】本実施形態のウェットシート収納容器を正面から見た断面図である。
【図２】本実施形態のウェットシート収納容器を正面上方から見た外観斜視図である。
【図３】ウェットシートをウェットシート収納容器に収納した様子を示す断面図である。
【図４】熱源フィルムの構成を示す図である。
【図５】補助治具の構成を示す裏面図である。
【図６】図３の状態からウェットシートを使用した後の様子を示す断面図である。
【図７】熱源フィルムの変形例を示す図である。
【発明を実施するための形態】
【００１３】
以下、図面を参照しつつ、本発明の実施形態であるウェットシート加温容器を詳細に説明する。但し、発明の範囲は、図示例に限定されない。
【００１４】
［ウェットシート加温容器１００の構成］
本実施形態に係るウェットシート加温容器１００は、図１〜図３に示すように、例えば、開口部１１を有し、ロール状に巻回された状態のウェットシートＰを開口部１１から収納するボトル状の容器本体１０と、開口部１１を開閉するように容器本体１０に着脱可能に取り付けられ、上面にウェットシートＰを外側に取り出すための取出部２１を有する蓋体２０と、を備えて構成されている。
この収納容器１００に収納するロール状に巻かれたウェットシートＰには、長さ方向に一定間隔をおいてミシン目が施されており、そのミシン目に沿って切り離したサイズのウェットシートＰを利用者が使用するようになっている。
【００１５】
容器本体１０は、底部から上端部近傍までほぼ一定の略円筒状であり、上面には大きく開口した開口部１１を有している。また、この容器本体１０の上端部の外周面には、周方向に沿って雄ネジ部が形成されている。
容器本体１０は、円筒状であることから、ロール状のウェットシートＰをほぼ同心位置に配置して収納することを可能としている。また、ウェットシートＰは、ロールの中心側から紙片を繰り出すようになっている。
この容器本体１０は、例えば、ＰＥ（ポリエチレン）やＰＰ（ポリプロピレン）、或いはＰＥＴ（ポリエチレンテレフタレート）、ＡＢＳ（Acrylonitrile Butadiene Styrene）樹脂等を用いて、射出成形、二色成形、ブロー成形等により一体的に形成されている。
【００１６】
蓋体２０は、容器本体１０に比べて丈の短い円筒状であって、その上端側は天面部２２により閉塞され、下端部は開口している。また、蓋体２０は、外径が容器本体１０の外径とほぼ等しく、その内周面には容器本体１０の雄ネジ部に螺合する雌ネジ部が形成されている。蓋体２０は、この雌ネジ部により、容器本体１０の上端部に対して着脱可能となっている。
従って、蓋体２０を容器本体１０から取り外した状態では容器本体１０の内部にウェットシートＰを充填することを可能とし、蓋体２０を容器本体１０に取り付けた状態では内部のウェットシートＰのロールが外に出ないように保持することを可能とする。
この蓋体２０は、例えば、ＰＥやＰＰ、或いはＰＥＴ、ＡＢＳ樹脂等を用いて、射出成形、二色成形、ブロー成形等により一体的に形成されている。
【００１７】
蓋体２０の天面部２２の中央部には、凹部２３が形成されており、当該凹部２３に嵌合するように小蓋２５が天面部２２に取り付けられている。
また、凹部２３の中央部には、円筒部２４が立設されており、その内側が上下に貫通して取出部２１となっている。この円筒部２４の上端には、周外に向かって突出したフランジ状の係止部２４ａが形成され、小蓋２５を閉じたときに係止することを可能としている。
【００１８】
ここで、取出部２１は、容器本体１０に蓋体２０を取り付けたままの状態で、内側のウェットシートＰを取り出すためのものである。
取出部２１は、例えば、平面視で十字状の切り込みにより形成され、ウェットシートＰがその中心を上方に向かって通過する際に、当該ウェットシートＰに適度に摺動抵抗を付与するようになっている。これにより、ウェットシートＰの使用時にその摺動抵抗がウェットシートＰに作用し、ミシン目からの分離が促されるとともに、次のウェットシートＰの先端部が取出部２１に挟まれた状態で保持されるので、容器本体１０に戻ることが防止され、次のウェットシートＰをすぐに使用することが可能となる。
この取出部２１は、小蓋２５のＹ軸回りの回動により開閉が行われる。小蓋２５は、その後端部近傍に当該小蓋２５をＹ軸方向に沿って折曲可能とするヒンジ部（図示省略）を備えており、凹部２３に嵌合して取出部２１を閉じた状態から起立して取出部２１を開いた状態まで回動することが可能となっている。なお、この小蓋２５は、ウェットシートＰを取り出す際に開状態とされる以外は、通常閉状態に維持されている。
【００１９】
また、容器本体１０の底部中央には、熱を発生させるヒータ３１を収納するヒータ室１２が備えられ、ウェットシートＰを収納するウェットシート収納室１３と区画されている。ヒータ３１は、図示しない電源コードや充電池等からの電力供給により熱を発生する。
また、ヒータ３１の周囲には、必要に応じて断熱材を施し、熱気をウェットシート収納室１３には送らないようにする。これは、ウェットシートＰに揮発成分が含まれている場合に、その揮散を防ぐ為である。
【００２０】
また、ウェットシート収納室１３の底部中央には、熱源フィルム３３の支柱３２が回転可能に軸支されている。支柱３２は、例えば、銅、アルミ、クロム等、熱伝導率が高い金属により形成され、ヒータ３１が発した熱を熱源フィルム３３に伝導するようになっている。
【００２１】
熱源フィルム３３は、支柱３２を介して伝えられた熱を放出することで、熱源として機能するフィルム状の部材である。熱源フィルム３３は、支柱３２に対し取り外し不能に取り付けられ、ヒータ３１から支柱３２を介して伝導された熱を外方に放出（放熱）する。熱源フィルム３３は、図４に示すように、支柱３２周りにロール状に巻き取られた状態において、最内層から順に、第１放熱性樹脂層３３１と、熱伝導性金属層３３２と、第２放熱性樹脂層３３３と、からなる３層構造を有している。
第１放熱性樹脂層３３１及び第２放熱性樹脂層３３３は、例えば、グラファイト、アクリル樹脂等の放熱性に優れた素材により形成され、熱源となる熱伝導性金属層３３２が表出せぬよう、熱伝導性金属層３３２の全面を覆う構成となっている。なお、第１放熱性樹脂層３３１及び第２放熱性樹脂層３３３は、放熱性に優れた素材であれば、同一の素材を用いても異なる素材を用いてもよい。
熱伝導性金属層３３２は、例えば、銅、アルミ、クロム等、熱伝導率が高い金属により形成され、ヒータ３１から支柱３２を介して伝導された熱を、第２放熱性樹脂層３３３を介して外方に放出する。そして、熱源フィルム３３から放出された熱により、ウェットシートＰの中央部（芯部）側が加温される。
即ち、ヒータ３１は、本発明の加温部として機能する。
なお、熱源フィルム３３は、効率よく加温する観点から、収納されるウェットシートＰの高さに応じた高さに形成されることが好ましく、同等の高さに形成されることが最も好ましい。
【００２２】
また、熱源フィルム３３は、支柱３２が所定方向（第１方向）に回転することで、支柱３２周りにロール状に巻き取られるようになっている。
支柱３２の上部には、熱源フィルム３３の巻き取り作業を補助するとともに、巻き取り後の熱源フィルム３３を表面から付勢して熱源フィルム３３の外方への広がりを抑制する補助治具３４が取り付けられている。補助治具３４は、例えば、耐薬液性・耐熱性素材であって、熱伝導率が低い素材により形成されている。
補助治具３４の上端側の裏面には、図５に示すように、支柱３２の先端を嵌合可能な嵌合溝３４１が設けられており、この嵌合溝３４１に支柱３２の先端を嵌合することで、補助治具３４を支柱３２に取り付けることができるようになっている。
また、補助治具３４は、傘状に開閉可能な開閉部３４２を備えている。開閉部３４２は、支柱３２周りにロール状に巻き取られた熱源フィルム３３を付勢して熱源フィルム３３の形状を保持する閉状態（図１等参照）と、熱源フィルム３３に対する付勢を開放する開状態（図３等参照）と、を切り替え可能に構成されている。
また、開閉部３４２には、ウェットシートＰを挟持可能な複数のスリット３４３が形成され、複数のスリット３４３の任意の一つにウェットシートＰを挟持することができるようになっている。
【００２３】
ここで、容器本体１０（ウェットシート収納室１３）へのウェットシートＰの収納方法を説明する。
まず、作業者は、支柱３２に補助治具３４を取り付けた状態で、補助治具３４を所定方向（第１方向）に回転させる。これにより、補助治具３４と連動して支柱３２を所定方向に回転させることができるので、熱源フィルム３３を支柱３２周りに巻き取ることができる。
次いで、作業者は、巻き取り後の熱源フィルム３３を表面から付勢するように補助治具３４を閉じた状態（閉状態）とすることで、熱源フィルム３３の外方への広がりを抑制する（図１参照）。
次いで、作業者は、ロール状に巻かれた熱源フィルム３３に、ロール状に巻かれたウェットシートＰの中央部（芯部）を挿通させることで、容器本体１０にウェットシートＰを収納する。これにより、熱源フィルム３３は、ウェットシートＰの収納時にその芯部よりも内側に位置することとなり、ウェットシートＰを芯部側から加温することとなる。従って、作業者が使用する分だけ効率よくウェットシートＰを加温することができるので、ウェットシートＰを乾燥させることなく且つ薬液の効果を低下させることなく、品質を確保した状態でウェットシートＰを提供することが可能となる。
次いで、作業者は、ウェットシートＰの先端を補助治具３４のスリット３４３の一つに挟み込んだ状態でウェットシートＰの先端を引き出して、蓋体２０の取出部２１を挿通させ、蓋体２０を容器本体１０に取り付ける。これにより、ウェットシートＰの先端部が取出部２１に挟まれた状態で保持され、ウェットシートＰをすぐに使用することが可能となる。
【００２４】
なお、作業者がウェットシートＰの先端を引き出した際、補助治具３４は、付勢力に抗するウェットシートＰが引き出される力により閉状態が開放される（即ち、開状態へと切り替わる）とともに、所定方向と反対方向（第２方向）に回転する。これにより、補助治具３４と連動して支柱３２が所定方向と反対方向に回転するので、熱源フィルム３３がウェットシートＰのロールの内径に応じて外方に広がる（図３参照）。ウェットシートＰのロールの内径は、ウェットシートＰが使用されるにつれて拡大するので、ウェットシートＰの枚数減に伴うロールの内径の拡大に応じて熱源フィルム３３も外方に広がっていく（図６参照）。従って、熱源フィルム３３をウェットシートＰに近接させることができるので、効率よくウェットシートＰを加温することができる。
【００２５】
以上のように、本実施形態に係るウェットシート加温容器１００によれば、容器本体１０は、容器本体１０に軸支され、ウェットシートＰの収納時にその芯部よりも内側に位置する支柱３２と、支柱３２の第１方向への回転に応じて支柱３２周りにロール状に巻き取り可能な熱源フィルム３３と、熱源フィルム３３を間接的に加温する加温部（ヒータ３１）と、を備える。
従って、本実施形態に係るウェットシート加温容器１００によれば、作業者が使用する分だけ効率よくウェットシートＰを加温することができるので、ウェットシートＰを乾燥させることなく且つ薬液の効果を低下させることなく、品質を確保した状態でウェットシートＰを提供することできる。また、次のウェットシートＰを取り出す際に取り出しを妨げない位置にヒータ３１が配置されているので、ウェットシートＰの取り出し易さを確保することができる。また、ウェットシートＰの芯部内に支柱３２や熱源フィルム３３が配置されるので、容器の大型化を抑制することができ、外部への携帯性や部屋での収納性を確保することができる。
【００２６】
また、本実施形態に係るウェットシート加温容器１００によれば、熱源フィルム３３は、支柱３２周りにロール状に巻き取られた状態において、ウェットシートＰと対向する面が放熱性素材により形成される。
従って、本実施形態に係るウェットシート加温容器１００によれば、ウェットシートＰに効率よく熱を伝達することができるので、ウェットシートＰの加温効率を向上させることが可能となり、ウェットシートＰの品質を保証しつつ、電力コストを削減することができる。
【００２７】
また、本実施形態に係るウェットシート加温容器１００は、支柱３２の上部に取り付け可能な補助治具３４を備える。また、補助治具３４は、支柱３２周りにロール状に巻き取られた熱源フィルム３３を付勢して熱源フィルム３３の形状を保持する閉状態と、熱源フィルム３３に対する付勢を開放する開状態と、を切り替え可能な開閉部３４２を備える。また、開閉部３４２には、ウェットシートＰを挟持可能な複数のスリット３４３が形成されている。また、補助治具３４は、スリット３４３にウェットシートＰが挟持された状態でウェットシートＰが引き出された際、第１方向と反対方向である第２方向に回転する。
従って、本実施形態に係るウェットシート加温容器１００によれば、ウェットシートＰの収納作業を容易且つ安全に行うことができるので、作業者の作業負担を軽減することができる。
【００２８】
また、本実施形態に係るウェットシート加温容器１００によれば、熱源フィルム３３は、ウェットシートＰの高さと同等の高さに形成される。
従って、本実施形態に係るウェットシート加温容器１００によれば、ウェットシートＰの加温ムラを抑制することができるので、ウェットシートＰ使用時の使用感を向上させることができる。
【００２９】
以上、本発明に係る実施形態に基づいて具体的に説明したが、本発明は上記実施形態に限定されるものではなく、その要旨を逸脱しない範囲で変更可能である。
【００３０】
例えば、上記実施形態では、ヒータ３１を設ける構成を例示して説明しているが、これに限定されるものではない。例えば、ヒータ３１を設ける代わりに、支柱３２をヒータ（加温部）として機能させるようにしてもよい。
これにより、ヒータ３１を設けるスペース（ヒータ室１２）を確保する必要がなくなるため、容器の小型化を実現することが可能となり、外部への携帯性や部屋での収納性をより確実に確保することができる。
【００３１】
また、ヒータ３１を設ける代わりに、熱源フィルム３３内の熱伝導性金属層３３２に電流を流すようにして、熱源フィルム３３を直接加温する、所謂フィルムヒータのような構成としてもよい。この場合、熱伝導性金属層３３２に電流を流すための配線は、熱源フィルム３３の下端側に設けるとよい。
これにより、熱源フィルム３３の温度を直接的に制御することができるので、ウェットシートＰの品質をより確保することができる。
【００３２】
また、上記実施形態では、補助治具３４を設ける構成を例示して説明しているが、これに限定されるものではない。即ち、補助治具３４を設けない構成としてもよい。この場合、熱源フィルム３３の巻き取り時は支柱３２の先端部を手指で回転させるようにし、熱源フィルム３３を巻き取った状態で、ウェットシートＰを収納するようにするとよい。そして、ウェットシートＰの収納後は、熱源フィルム３３の弾性により、自然と熱源フィルム３３がウェットシートＰのロールの内径に応じて外方に広がることとなる。
なお、支柱３３の上端部を熱伝導率の低い素材で形成することで、作業者がヒータ３１を稼働したままウェットシートＰの収納作業を行った際にも、安全に支柱３３を回転させることができる。従って、補助治具３４を設けない構成を採用する場合には、支柱３３の上端部を熱伝導率の低い素材で形成することが好ましい。
【００３３】
また、上記実施形態では、熱源フィルム３３として、最内層から順に、第１放熱性樹脂層３３１と、熱伝導性金属層３３２と、第２放熱性樹脂層３３３と、からなる３層構造を有する構成を例示して説明しているが、これに限定されるものではない。例えば、図７に示すように、熱伝導性金属層３３２の代わりに、銅、アルミ、クロム等、熱伝導率が高い金属からなる熱伝導性金属線３３４を、第１放熱性樹脂層３３１及び第２放熱性樹脂層３３３間に挟み込む構成としてもよい。
また、熱源フィルム３３は、必ずしも３層構造である必要はなく、ヒータ３１から支柱３２を介して伝導された熱を外方に放出可能な構成であれば、１層であっても２層であっても４層以上であってもよい。
【００３４】
また、上記実施形態では、支柱３２周りにロール状に巻き取られた状態における最内層に、放熱性素材で形成された第１放熱性樹脂層３３１を備える構成を例示して説明しているが、これに限定されるものではない。即ち、支柱３２周りにロール状に巻き取られた状態における最内層は、熱源フィルム３３の加温効率を向上可能な構成であればいかなる構成であってもよく、例えば、第１放熱性樹脂層３３１の代わりに、断熱材等の熱を逃がさない素材で形成された断熱層を備える構成としてもよい。
なお、実施形態のように、最内層を第１放熱性樹脂層３３１で形成した場合であっても、第１放熱性樹脂層３３１から放熱される熱がウェットシートＰ以外の部位に放散する虞はほとんどなく、第２放熱性樹脂層３３３からの放熱に第１放熱性樹脂層３３１からの放熱が加わる形となるため、熱源フィルム３３の温度をより早くウェットシートＰに伝達することが可能となる。
【００３５】
その他、ウェットシート加温容器１００の細部構成に関しても、本発明の趣旨を逸脱することのない範囲で適宜変更可能である。
【符号の説明】
【００３６】
１００  ウェットシート加温容器
１０  容器本体
１１  開口部
１２  ヒータ室
１３  ウェットシート収納室
２０  蓋体
２１  取出部
２２  天面部
２３  凹部
２４  円筒部
２４ａ  係止部
２５  小蓋
３１  ヒータ（加温部）
３２  支柱
３３  熱源フィルム
３３１  第１放熱性樹脂層
３３２  熱伝導性金属層
３３３  第２放熱性樹脂層
３３４  熱伝導性金属線
３４  補助治具
３４１  嵌合溝
３４２  開閉部
３４３  スリット
Ｐ  ウェットシート
【図１】
2018015352.tif 000003
【図２】
2018015352.tif 000004
【図３】
2018015352.tif 000005
【図４】
2018015352.tif 000006
【図５】
2018015352.tif 000007
【図６】
2018015352.tif 000008
【図７】
2018015352.tif 000009